(57)【特許請求の範囲】
【請求項１】
超音波発振機に連結され、骨髄の中に形成された人工関節の一部が挿入されて固定用骨セメントが充填される骨髄腔の内壁に沿うような断面弧状をした樋状部と、該樋状部の内面より内側に向かって板状に起立する起立部を一体に形成した先端ツールを備えた人工関節固定用骨セメントの除去装置。
【請求項２】
超音波発振機に連結された先端ツールであって、人工関節が挿入され固定用骨セメントが充填される骨髄腔の内壁に沿うような断面弧状をした樋状部と、該樋状部の内面より内側に向かって板状に起立する起立部を一体に形成した人工関節固定用骨セメントの除去装置の先端ツール。
【請求項３】
上記樋状部の先端及び／または起立部の先端を鋭利に形成した請求項２記載の人工関節固定用骨セメントの除去装置の先端ツール。
【請求項４】
上記起立部の上面を鋭利に形成した請求項２または３記載の人工関節固定用骨セメントの除去装置の先端ツール。
【発明の詳細な説明】
【０００１】
【発明の属する技術分野】
本発明は、人工関節を骨髄腔に固定するために使用された骨セメントを除去するための装置に関するものである。
【０００２】
【従来の技術】
近年、膝、股、肘、肩、足などの関節が悪くなって充分に曲がらず、機能障害を起こした人には、人工関節を入れて機能を回復させるような手術が行われるようになった。
この人工関節は、大腿骨等の骨の骨髄の中に腔を作り、この骨髄腔に関節用のジョイント部を有するステムを挿入し、更に骨髄腔に骨セメントと言われるポリメチルメタクリルセメント（polymethyl methacrylate cement：ＰＭＭＡ）を充填して固化させ、人工関節のステムを大腿骨等に固定している。
【０００３】
こうした人工関節を埋設した人が長期間に亘って使用している間に、ステムと骨髄腔の間の固定がゆるくなってぐらつくようになったり、関節ジョイント部が磨耗したりその他の不都合が起った場合には、人工関節を入替える必要がある。
このような人工関節の再置換を行うときには、手術によって先ず取付けられている古いステムの表面に接している骨セメントを除去して、人工関節を抜き取る。しかし、こうして人工関節を取外した後の骨髄腔の中には、未だ固化した骨セメントがそのまま残っているので、新しい人工関節を取付けることができず、この骨セメントの塊を除去しなければならない。
【０００４】
上記骨髄内の骨セメントの除去は、最近まで機械式のドリルやノミに頼って来たが、こうした人工関節を使用する患者の殆どが高齢者でかつ女性が多く、また骨粗しょう症にかかっていて骨が脆く、皮薄化した者も多いために、骨セメントの除去作業中に骨折したり、骨に穿孔が出来てしまったりすることがあった。またこのような障害の発生を避けるためにも手術が長時間化して、難渋することが多かった。
【０００５】
そこで、上記したように骨セメントの主成分がＰＭＭＡであることから、超音波を使用してこれを除去することが考えられた。すなわち、このＰＭＭＡを主成分とする骨セメントはエネルギ−の吸収力が高く、熱伝導率が低いので、超音波発振機の先端ツ−ルを骨セメントに圧接すると、骨セメントと先端ツ−ルの境界面に注入されたエネルギ−は、その境界面で吸収されて十分な摩擦が起り、摩擦熱が貯められて先端ツ−ルの表面と接触している骨セメントが柔らかくなるので、これによって骨セメントを除去することができるようになる。
【０００６】
従来、上記超音波発振機の先端ツ−ルには平型のみ状のものを使用し、人工骨を抜いた後に骨髄腔の内壁に沿って筒状に固着している骨セメントを内側より少しづつ切り崩すようにして除去しているが、処置中に先端ツ−ルの鋭利な角部が、骨髄腔の内壁に食い込んだり、接触して高温を発生して熱傷を作ったりすることがあり、また、先端ツ−ルの摩耗が激しいなど種々の欠点が見られた。
【０００７】
【発明が解決しようとする課題】
本発明は、上記した従来のものに見られるような障害を生じることなく、骨セメントを確実かつスム−ズに除去することができる骨セメントの除去装置を提供しようとするものである。
【０００８】
【課題を解決するための手段】
本発明は、骨髄腔の内壁に沿うような断面弧状をした樋状部を有し、この樋状部の内面から内側に向って起立する板状の起立部を一体に形成した先端ツ−ルを超音波発振機に連結し、上記樋状部で骨セメントを骨髄腔から剥がすようにしながら、剥がした骨セメントを起立部で切り分けるようにすることによって、骨セメントを容易かつ確実に除去するようにする。
【０００９】
【発明の実施の形態】
超音波発振機１からケ−ブル２を介して操作器４の先に先端ツ−ル５を取付けており、フ−トスイッチ３によって起動させるようになっている。この先端ツ−ル５は、各種のものが使用できるように操作器４に着脱可能に形成している。
上記先端ツ−ル５は、人工関節を取付けるために大腿骨その他の骨６の骨髄に形成した骨髄腔８の内壁９にほぼ沿うように断面を弧状とした樋状部５１と、該樋状部５１の内面５２から内側に向って板状に起立する起立部５３を設けている。
【００１０】
図示するものでは、上記樋状部５１は先端ツ−ル５の基部５４に向かってその深さが次第に浅くなり、それに従って起立部５３の高さも次第に短くなっている。そして、上記樋状部５１の先端５５と起立部５３の先端５６は、骨セメント中に入って行き易いように鋭利に形成している。
こうした先端ツ−ル５は、ステンレススチ−ル、チタンなどの金属を用いて作ることができる。
【００１１】
この装置を使用する場合、超音波発振機１を起動させ、フ−トスイッチ３によって制御しながら、人工関節のステムが抜き取られた骨６の骨髄腔８の内壁９に、先端ツ−ル５の樋状部５１の外面５７が当接するようにしながらツ−ルの先端を奥に押込んで行くようにすると、ツ−ルの樋状部５１の先端５５に接触しているＰＭＭＡを主成分とする骨セメントが熱によって溶かされ、骨髄腔の内壁から剥がされるようにされると共に、起立部５３の先端５６によって左右に切り開かれるようになる。更に先端ツ−ルを奥に進めると、骨髄腔の内壁から剥がされた骨セメント７が樋状部５１の内面５２の傾斜面に沿って骨髄腔の内側へと少しづつ逃げて行く（図４、図５）。
【００１２】
ある程度先端ツ−ルが奥まで進んだら、そのツ−ルを引出し、隣接する部分の骨セメントに対して同様の処置を行うと、先端ツ−ル５の起立部５３が骨セメントを骨髄腔の直径方向にも切り開くので、骨セメントはあたかもステック状片７１に切り剥がされて取り除くことができる（図５）。
【００１３】
こうした操作を骨髄腔の内壁面に沿って順次行うと、骨髄腔の内面を覆っている骨セメントを、骨髄腔の内壁を損傷することなく、きれいに取除くことができるし、迅速に処置できるので人工関節の再置換手術に要する時間を短くすることができる。
また、骨セメント塊が大きく、骨髄腔の内壁までの厚味が厚い場合には、先端ツ−ルの樋状部を骨セメント塊の中間部に位置させて、内側の骨セメントを先づ取除き、その後で樋状部を骨髄腔の内壁に当てるようにして切除くようにするとよい。
【００１４】
上記骨セメントを除去する場合、超音波発振機を利用して、先端ツ−ルの近傍等に生理食塩水などを霧状にして供給すると、操作時の過熱を防止することができて、骨髄等に与える影響を更に減少することができる。
【００１５】
図６に示すものは、先端ツ−ル５の樋状部５１の断面の弧を小さく形成したものであり、図７のものは更に断面の弧を小さくしたもので、骨髄腔の内径が小さい場合に使用したり、骨セメントの塊が大きい場合に、先づその内側の一部を取除く場合などに有効に使用することができる。
【００１６】
図８に示すものは、先端ツ−ル５の起立部５３の上面５８を鋭利に形成したものであり、特に、骨セメントが厚い場合には効果的に使用することができる。
また、上記した起立部５３は、先端側に向かって次第に高さを低くし、先端ツールの全体を先細状に形成したものも有効に使用することができる。
【００１７】
【発明の効果】
本発明は上記したように、超音波発振機に連結した先端ツ−ルを、断面弧状を描く樋状部と、その内面から立上る起立部を一体に形成することによって、骨セメントを引剥しながら切り分け、分割ができるので、骨髄腔の内壁に沿って骨セメントをきれいに除去することができて骨を損傷することもないし、手術中の除去作業の時間も大幅に短縮することができて、手術全体の効率化を果たすことができる。
【図面の簡単な説明】
【図１】本発明の実施例を示す斜視図である。
【図２】本発明の先端ツールの実施例を示す一部省略斜視図である。
【図３】図２の断面図である。
【図４】骨髄腔から骨セメントを除く状態を示す説明図である。
【図５】骨髄腔から骨セメントを除く状態を拡大して示す説明図である。
【図６】本発明の先端ツールの他の実施例を示す断面図である。
【図７】本発明の先端ツールの更に他の実施例を示す断面図である。
【図８】本発明の先端ツールの他の例を示す断面図である。
【符号の説明】
１  超音波発振機
２  ケ−ブル
３  フ−トスイッチ
４  操作器
５  先端ツ−ル
６  骨
７  骨セメント
８  骨髄腔
９  骨髄腔の内壁
５１  先端ツ−ルの樋状部
５２  先端ツ−ルの内面
５３  先端ツ−ルの起立部
５４  先端ツ−ルの基部
５５  樋状部の先端
５６  起立部の先端
５７  先端ツ−ルの外面
５８  起立部の上面
【図１】
0003855219.tif 000002
【図２】
0003855219.tif 000003
【図３】
0003855219.tif 000004
【図４】
0003855219.tif 000005
【図５】
0003855219.tif 000006
【図６】
0003855219.tif 000007
【図７】
0003855219.tif 000008
【図８】
0003855219.tif 000009